【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
紙葉状の媒体を集積する集積空間と、
上記媒体の一面側及びその反対面側とそれぞれ対向し、上記集積空間の外部及び内部を結ぶ搬送路に沿って上記媒体を案内する案内部と、
上記搬送路中に設けられ、上記媒体を上記一面及び上記反対面から挟持し上記集積空間内へ向けて搬送する挟持搬送部と、
上記案内部の上記一面側における、上記集積空間側の端部又は当該端部と上記挟持搬送部による上記媒体の挟持箇所との間に設けられ、上記媒体の一部を上記挟持搬送部による挟持面よりも上記反対面側へ押し曲げる押曲部と
を具えることを特徴とする媒体集積装置。
【請求項２】
上記媒体の搬送方向に関し上記挟持箇所と同一又はその近傍となる箇所において、上記媒体の一部を上記挟持搬送部による挟持面よりも上記反対面側へ押し曲げる近傍押曲部
をさらに具えることを特徴とする請求項１に記載の媒体集積装置。
【請求項３】
上記押曲部の上記案内部における上記一面からの突出量を変更する突出量変更部と、
上記押曲部を上記案内部の上記反対面側に付勢する付勢部と
をさらに具えることを特徴とする請求項２に記載の媒体集積装置。
【請求項４】
上記媒体を上記集積空間内から上記案内経路を経て外部へ排出する際、上記押曲部の上記付勢部による付勢を抑制して上記一面からの突出量を減少させる抑制部
をさらに具えることを特徴とする請求項３に記載の媒体集積装置。
【請求項５】
上記押曲部は、
上記媒体と当接する箇所に、上記媒体の進行に伴い回転する押付ローラを具える
ことを特徴とする請求項１に記載の媒体集積装置。
【請求項６】
上記案内部は、
上記反対面側における上記押曲部と対向する箇所に、上記媒体の進行に伴い回転する対向ローラを具える
ことを特徴とする請求項１に記載の媒体集積装置。
【請求項７】
上記案内部は、
上記反対面側における上記押曲部と対向する箇所に、周囲よりも上記一面側から離れた溝部が形成された
ことを特徴とする請求項１に記載の媒体集積装置。
【請求項８】
上記案内部の上記反対面側における、上記集積空間側の端部と上記挟持搬送部による上記媒体の挟持箇所との間に設けられ、上記媒体の一部を上記挟持搬送部による挟持面から上記一面側へ押し曲げる反対押曲部
をさらに具えることを特徴とする請求項１に記載の媒体集積装置。
【請求項９】
上記案内部の上記一面側における、上記挟持搬送部による上記媒体の挟持箇所よりも上記集積空間の外部側に設けられ、上記媒体の一部を上記挟持搬送部による挟持面から上記反対面側へ押し曲げる外押曲部
をさらに具えることを特徴とする請求項１に記載の媒体集積装置。
【請求項１０】
紙葉状の媒体を搬送する搬送部と、
上記媒体を集積する集積空間と、
上記媒体の一面側及びその反対面側とそれぞれ対向し、上記搬送部により搬送されてきた上記媒体を上記集積空間の外部及び内部を結ぶ搬送路に沿って案内する案内部と、
上記搬送路中に設けられ、上記媒体を上記一面及び上記反対面から挟持し上記集積空間内へ向けて搬送する挟持搬送部と、
上記案内部の上記一面側における、上記集積空間側の端部又は当該端部と上記挟持搬送部による上記媒体の挟持箇所との間に設けられ、上記媒体の一部を上記挟持搬送部による挟持面よりも上記反対面側へ押し曲げる押曲部と
を具えることを特徴とする媒体処理装置。
【手続補正２】
【補正対象書類名】明細書
【補正対象項目名】００６５
【補正方法】変更
【補正の内容】
【００６５】
さらに軸３５は、図示しないモータやギヤ等を介して回転駆動力が伝達されるようになされている。このため２個のプレッシャローラ３６及び４個の羽根車３８は、時計方向Ｒ１に軸３５が回転されると、当該軸３５と一体に回転する。
【手続補正３】
【補正対象書類名】明細書
【補正対象項目名】０１０１
【補正方法】変更
【補正の内容】
【０１０１】
回動軸１４３は、図９（Ｂ）におけるＤ１−Ｄ２断面を図１０（Ａ）に示すように、左右方向に沿った中心軸を回動中心として、下搬送ガイド１３２に対し押曲片１４２を反時計方向Ｒ２又は時計方向Ｒ１へ自在に回動させ得るようになされている。
【手続補正４】
【補正対象書類名】明細書
【補正対象項目名】０１０８
【補正方法】変更
【補正の内容】
【０１０８】
このとき押曲部１４１の押曲片１４２は、紙幣ＢＬから下方向へ向かう力を受けることにより、時計方向Ｒ１へ僅かに回動し、頂点１４２Ａと上搬送ガイド３１の下面との間隔を広げながらも、スプリングの付勢力により、当該紙幣ＢＬに対し上方向へ向かう力を加える。
【手続補正５】
【補正対象書類名】明細書
【補正対象項目名】０１１０
【補正方法】変更
【補正の内容】
【０１１０】
このため放出部１２２は、やはり第１の実施の形態と同様、紙幣ＢＬに前後に長い湾曲面ＳＣを形成した状態で集積空間２１Ａ内へ放出することができる。
【手続補正６】
【補正対象書類名】明細書
【補正対象項目名】０１１５
【補正方法】変更
【補正の内容】
【０１１５】
また押曲部１４１は、回動軸１４３を回動中心として押曲片１４２を回動させると共に、スプリングにより反時計方向Ｒ２へ付勢しているため、紙幣ＢＬの厚さに応じて、下搬送ガイド１３２の上面からの押曲片１４２の突出量を変化させることができる。
【手続補正７】
【補正対象書類名】明細書
【補正対象項目名】０１６３
【補正方法】変更
【補正の内容】
【０１６３】
［５−２．動作及び効果］
以上の構成において、第５の実施の形態による放出部４２２は、第１の実施の形態と同様に押曲部４１により紙幣ＢＬの一部を上方向へ持ち上げると共に、当該紙幣ＢＬの他の箇所を上押曲部４４１により下方向へ押し下げる。
【手続補正８】
【補正対象書類名】明細書
【補正対象項目名】０１６７
【補正方法】変更
【補正の内容】
【０１６７】
以上の構成によれば、第５の実施の形態による放出部４２２は、押曲部４１により紙幣ＢＬの一部を上方向へ持ち上げると共に、当該紙幣ＢＬの他の箇所を上押曲部４４１により下方向へ押し下げる。これにより放出部４２２は、紙幣ＢＬを集積空間２１Ａ内へ放出する直前に、多数の湾曲面ＳＣにより上下方向の曲げ強度を高めて当該集積空間２１Ａ内を滑空させることができる。この結果、放出部４２２は、放出した紙幣ＢＬをステージ２５上に集積されている既存の紙幣ＢＬの真上に整然と積み重ねることができる。
【手続補正９】
【補正対象書類名】明細書
【補正対象項目名】０１８６
【補正方法】変更
【補正の内容】
【０１８６】
しかしながら本発明はこれに限らず、例えば図１０（Ａ）と対応する図１７に示すように、放出部７２２において、ストッパ１４４を一時的に下方向へ移動させることにより、押曲片１４２を時計方向Ｒ１へ回動させて下搬送ガイド１３２の上面から突出させないように、すなわち埋没させるようにしても良い。
【手続補正１０】
【補正対象書類名】明細書
【補正対象項目名】０１８９
【補正方法】変更
【補正の内容】
【０１８９】
しかしながら本発明はこれに限らず、ストッパ１４４を省略することにより、頂点１４２Ａを上搬送ガイド３１の下面に当接させるようにしても良い。この場合、図示しないスプリングによる付勢力を弱めておくことにより、搬送されてきた紙幣ＢＬが押曲片１４２を時計方向Ｒ１へ回動させながら（すなわち押し下げながら）進行できるようにすれば良い。
【手続補正１１】
【補正対象書類名】明細書
【補正対象項目名】０１９６
【補正方法】変更
【補正の内容】
【０１９６】
さらに上述した第６の実施の形態においては、前押曲位置Ｕ３から挟持位置Ｕ１を挟んで押曲位置Ｕ２に至るまで、前後方向に延長された押曲部５４１を設けるようにした場合について述べた。